(57)【要約】【課題】視聴者が使用する言語によって、コンテンツを切り替えることはできなかった。【解決手段】デジタルサイネージ端末が自装置の識別情報を含むＢｅａｃｏｎをブロードキャストする。デジタルサイネージ装置がブロードキャストしたＢｅａｃｏｎに対して接続要求を送信してきた通信対象となる通信相手端末と接続を行う。接続を行った通信相手端末空から当該通信端末が使用している言語情報を取得する。デジタルサイネージ装置は通信相手端末から取得した言語情報に基づいて音声データなどのコンテンツの言語選択を行いコンテンツを出力する。【選択図】  図５
2016148961.tif 000002
【特許請求の範囲】
【請求項１】
通信相手端末から当該通信端末が使用している言語情報を取得する取得手段と、
前記言語情報に基づいてコンテンツを出力する出力手段と、
を備えたことを特徴とするコンテンツ出力装置。
【請求項２】
ブロードキャスト情報をブロードキャストする送信手段と、
を備え、
前記取得手段は、前記ブロードキャスト情報を受信した通信端末から言語情報を取得することを特徴とする請求項１に記載のコンテンツ出力装置。
【請求項３】
前記言語情報は、前記端末装置が設定している言語情報であることを特徴とする請求項１又は２に記載のコンテンツ出力装置。
【請求項４】
コンテンツデータを記憶するコンテンツ記憶手段と、
を備え、
前記コンテンツ出力手段は、前記コンテンツ記憶手段に記憶されているコンテンツを出力することを特徴する請求項１〜３のいずれか一項に記載のコンテンツ出力装置。
【請求項５】
前記コンテンツ記憶手段は、画像データを記憶する記憶手段と、前記画像データに対応する複数の言語の音声データを記憶する音声データ記憶部と、
からなり、
前記コンテンツ出力手段は、前記画像データを出力すると供に前記言語情報に基づいて音声データを変更し出力することを特徴とする請求項１〜３のいずれか一項に記載のコンテンツ出力装置。
【請求項６】
前記取得手段が取得した言語情報に対応するコンテンツがコンテンツ記憶手段に記憶されているか判定する判定手段と、
を備え、
前記コンテンツ出力手段は、前記言語情報に対応するコンテンツが記憶されていないと判定された場合、所定の言語のコンテンツを出力することを特徴とする請求項４又は５に記載のコンテンツ出力装置。
【請求項７】
通信相手端末から当該通信端末が使用している言語情報を取得する取得ステップと、
前記言語情報に基づいてコンテンツを出力する出力ステップと、
を含むことと特徴とするコンテンツ出力方法。
【請求項８】
コンピュータを、
通信相手端末から当該通信端末が使用している言語情報を取得する取得手段、
前記言語情報に基づいてコンテンツを出力する出力手段、
として機能させる事を特徴とするプログラム。
【発明の詳細な説明】
【技術分野】
【０００１】
本発明は、コンテンツ出力装置、コンテンツ出力方法およびプログラムに関する。
【背景技術】
【０００２】
近年、鑑賞者に対して印象付けた告知を行うべく、人型に形成された平面のスクリーンに対して人物画像を投影し、種々の告知を行わせる表示装置が開発されている（例えば特許文献１参照）。また、より現実味のある印象を鑑賞者に与えるべく、立体的に形成されたスクリーンに対して人物画像を投影する手法が検討されている。
【先行技術文献】
【特許文献】
【０００３】
【特許文献１】特開２０１１−１５０２２１号公報
【発明の概要】
【発明が解決しようとする課題】
【０００４】
しかしながら、従来の表示装置では、視聴者が使用する言語によって、コンテンツを切り替えることはできなかった。
【０００５】
そこで本発明の課題は、視聴者にあった適切な言語でコンテンツを出力することである。
【課題を解決するための手段】
【０００６】
通信相手端末から当該通信端末が使用している言語情報を取得する取得手段と、
前記言語情報に基づいてコンテンツを出力する出力手段と、
を備えたことを特徴とするコンテンツ出力装置。
【発明の効果】
【０００７】
視聴者にあった適切な言語でコンテンツを出力することができる。
【図面の簡単な説明】
【０００８】
【図１】は、本実施形態に係るコンテンツ出力システムの構成を示す図である。
【図２】は、本実施形態に係るデジタルサイネージ装置の構成を示すブロック図である。
【図３】は、本実施形態に係る端末装置の構成を示すブロック図である。
【図４】は、本実施形態に係る無線通信のシーケンスを示す図である。
【図５】は、本実施形態に係るデジタルサイネージ装置のコンテンツ出力処理のフローチャートを示す図である。
【図６】は、本実施形態に係る端末装置のコンテンツ出力処理のフローチャートを示す図である。
【発明を実施するための形態】
【０００９】
以下、本発明を実施するための形態に係る無線通信装置を、図面を参照して説明する。なお、図中同一又は相当する部分は同一符号を付す。
【００１０】
図１は、本実施形態に係るコンテンツ出力システムの構成を示す図である。図１の構成例において、コンテンツ出力システムは、デジタルサイネージ装置１とデジタルサイネージ装置１と無線通信を行う端末装置２とから構成される。デジタルサイネージ装置１と端末装置２は、例えば、Bluetooth（登録商標） low energy（以下、ＢＬＥという。）に基づいて、互いに無線通信を行う。ＢＬＥとは、Bluetooth（登録商標）と呼ばれる近距離無線通信規格において、低消費電力を目的として策定された規格（モード）である。
【００１１】
デジタルサイネージ装置１は、例えば、背面投射型のプロジェクタを用い図示しないスクリーンに向け照射する投影装置であって、店舗や展示会会場などに設置され、商品の説明、案内、アンケート等のコンテンツを再生するものであり、一方、端末装置２は、例えば、スマートフォン、タブレット型パーソナルコンピュータなどである。
【００１２】
デジタルサイネージ装置１は、図２に示すように、制御部１１、表示部１２、入力部１３、通信部１４、記憶部１５を備え、記憶部１５は、画像データ記憶部１５１、音声データ記憶部１５２を含むものである。
【００１３】
制御部１１は、ＣＰＵ（Ｃｅｎｔｒａｌ  Ｐｒｏｃｅｓｓｉｎｇ  Ｕｎｉｔ）等によって構成され、記憶部１５に記億されている各種のプログラムを実行して所定の演算や各部の制御を行うＣＰＵとプログラム実行時の作業領域となるメモリとを備えている（いずれも図示略）。
【００１４】
表示部１２は、制御部１１から出力された画像データを投影光に変換してスクリーンに向けて照射するプロジェクタである。
例えば、プロジェクタとしては、アレイ状に配列された複数個（ＸＧＡの場合、横１０２４画素×縦７６８画素)の微小ミラーの各傾斜角度を個々に高速でオン/オフ動作して表示動作することでその反射光により光像を形成する表示素子であるＤＭＤ（デジタルマイクロミラーデバイス）を利用したＤＬＰ（Digital Light Processing）（登録商標）プロジェクタが適用可能である。
【００１５】
入力部１３は、ユーザからのコンテンツ切換え操作等を受け付ける。
【００１６】
通信部１４は、図示しないアンテナを介して、ＢＬＥに基づく無線信号の送信及び受信を行う。通信部１４は、ＢＬＥに基づくＢｅａｃｏｎ（アドバタイズ）をブロードキャストし、そのＢｅａｃｏｎに対して送られてきた端末装置２からの接続要求を受信した後、接続を確立し端末装置２から言語情報を受信する。
【００１７】
記憶部１５は、投影する画像データを記憶する画像データ記憶部１５１と、画像データに対応して出力する音声データを記憶する音声データ記憶部を１５２を有する。音声データ記憶部１５２は、画像データに対して各国、例えば、日本語、英語、中国語などの言語の音声データ複数記憶している。
【００１８】
図３は、端末装置２の構成を示すブロック図である。端末装置２は、制御部２１、表示部２２、入力部２３、通信部２４、記憶部２５を備え、記憶部２５は、言語情報記憶部２５１を有する。
【００１９】
制御部１１は、ＣＰＵ（Ｃｅｎｔｒａｌ  Ｐｒｏｃｅｓｓｉｎｇ  Ｕｎｉｔ）等によって構成され、記憶部２５に記億されている各種のプログラムを実行して所定の演算や各部の制御を行うＣＰＵとプログラム実行時の作業領域となるメモリとを備えている（いずれも図示略）。
【００２０】
表示部２１は、例えば、ＬＣＤ（Liquid Crystal Display）、ＥＬ（Electroluminescence）ディスプレイ等によって構成される。
【００２１】
入力部２３は、例えば、タッチパネルであり、表示部２１の上面に配置され、ユーザの操作内容を入力するために用いられるインタフェースである。タッチパネルは、例えば図示しない透明電極を内蔵し、ユーザの指等が接触した場合に、電圧が変化した位置を接触位置として検出し、その接触位置の情報を入力指示として制御部２１へ出力する。
【００２２】
記憶部２５は、ユーザが使用している言語情報を記憶する言語情報記憶部２５１を有する。
【００２３】
図４は、本実施形態に係る言語情報を取得する無線通信のシーケンスを示す図である。
【００２４】
まず、デジタルサイネージ装置１は、通信部１４を用い、Ｂｅａｃｏｎをブロードキャストする（ステップＳ４１）。Ｂｅａｃｏｎには、デジタルサイネージ装置１の識別情報が含まれている。
【００２５】
次に、ブロードキャストされたＢｅａｃｏｎを受信した端末装置２は、Ｂｅａｃｏｎ含まれている識別情報に基づいてデジタルサイネージ装置１を特定し、デジタルサイネージ装置１に向け接続要求を送信する（ステップＳ４２）。
【００２６】
接続要求を受信したデジタルサイネージ装置１は端末装置２との通信を確立し、端末装置２は言語情報記憶部２５１から使用している言語情報を取得し、デジタルサイネージ装置１に送信する（ステップＳ４３）。
【００２７】
図５は、デジタルサイネージ装置１のコンテンツ出力処理のフローチャートを示す図である。デジタルサイネージ装置１は、画像データ記憶部１５１を参照し、コンテンツを投影する。また、コンテンツに対応した音声を音声データ記憶部１５２から取得し再生を行っているものとする。
【００２８】
まず、デジタルサイネージ装置１は、Ｂｅａｃｏｎをブロードキャストする（ステップＳ５１）。ステップＳ５１でブロードキャストしたＢｅａｃｏｎに対する端末装置２からの接続要求を受信したかを判定する（ステップＳ５２）。
【００２９】
接続要求を受信しなかった場合（ステップＳ５２  ＮＯ）、ステップＳ５１に戻り再度Ｂｅａｃｏｎをブロードキャストする。接続要求を受信した場合（ステップＳ５２  Ｙｅｓ）、端末装置２との接続を確立する（ステップＳ５３）。
【００３０】
端末装置２との接続を確率した後、端末装置２から言語情報を受信したかを判定する（ステップＳ５４）。言語情報を受信しないと判定された場合（ステップＳ５４  ＮＯ）、受信するまで、ステップＳ５４を繰り返す。
【００３１】
言語情報を受信した場合（ステップＳ５４  ＹＥＳ）、現在再生されている音声の言語情報を端末装置から送信されてきた言語情報を比較し、一致しているかを判定する。
【００３２】
一致している場合、そのまま再生を続け、一致していないと判定された場合、ステップＳ５６に進み、音声データ記憶部１５２を参照し、端末装置から送信されてきた言語情報と一致する音声データを取得し再生する事により言語を変更する。
【００３３】
図６は、本実施形態に係る端末装置２のコンテンツ出力処理のフローチャートを示す図である。
【００３４】
まず、端末装置２は、デジタルサイネージ装置１からＢｅａｃｏｎを受信したかを判定する（ステップＳ６１）。Ｂｅａｃｏｎを受信していないと判定された場合（ステップＳ６１  ＮＯ）、受信するまでステップＳ６１を繰り返す。
【００３５】
ステップＳ６１でＢｅａｃｏｎを受信したと判定した場合は、Ｂｅａｃｏｎに含まれている識別情報からＢｅａｃｏｎを送信しているデジタルサイネージ装置１を特定し、そのデジタルサイネージ装置１に対して接続要求を送信し（ステップＳ６２）、デジタルサイネージ装置１との接続を確立する。
【００３６】
デジタルサイネージ装置１に接続要求を送信した後、端末装置２は、言語情報記憶部２５１を参照し、使用している言語として設定されている言語を取得する。使用している言語を取得した後、その言語情報をデジタルサイネージ装置１に送信する（ステップＳ６３）。
【００３７】
上記のように、本実施形態では、デジタルサイネージ装置１は端末装置２から言語情報を取得する事によって、言語を変更しているので、それぞれのユーザに適したコンテンツを再生する事ができる。
【００３８】
なお、本実施形態では、画像データは変更せずに、音声データのみ変更したが、これに限らず、画像データを音声データが一体となっている動画データを変更しても良い。
【００３９】
また、端末装置２から取得した言語情報に一致する音声データがない場合は、例えば、英語に設定するなど、理解できる可能性が高い言語の音声データに変更しても良い。
【００４０】
以上、本発明の好ましい実施形態について説明したが、本発明は係る特定の実施形態に限定されるものではなく、本発明には、特許請求の範囲に記載された発明とその均等の範囲が含まれる。以下に、本願出願の当初の特許請求の範囲に記載された発明を付記する
【００４１】
（付記１）
通信相手端末から当該通信端末が使用している言語情報を取得する取得手段と、
前記言語情報に基づいてコンテンツを出力する出力手段と、
を備えたことを特徴とするコンテンツ出力装置。
（付記２）
ブロードキャスト情報をブロードキャストする送信手段と、
を備え、
前記取得手段は、前記ブロードキャスト情報を受信した通信端末から言語情報を取得することを特徴とする請求項１に記載のコンテンツ出力装置。
（付記３）
前記言語情報は、前記端末装置が設定している言語情報であることを特徴とする請求項１又は２に記載のコンテンツ出力装置。
（付記４）
コンテンツデータを記憶するコンテンツ記憶手段と、
を備え、
前記コンテンツ出力手段は、前記コンテンツ記憶手段に記憶されているコンテンツを出力することを特徴する請求項１〜３のいずれか一項に記載のコンテンツ出力装置。
（付記５）
前記コンテンツ記憶手段は、画像データを記憶する記憶手段と、前記画像データに対応する複数の言語の音声データを記憶する音声データ記憶部と、
からなり、
前記コンテンツ出力手段は、前記画像データを出力すると供に前記言語情報に基づいて音声データを変更し出力することを特徴とする請求項１〜３のいずれか一項に記載のコンテンツ出力装置。
（付記６）
前記取得手段が取得した言語情報に対応するコンテンツがコンテンツ記憶手段に記憶されているか判定する判定手段と、
を備え、
前記コンテンツ出力手段は、前記言語情報に対応するコンテンツが記憶されていないと判定された場合、所定の言語のコンテンツを出力することを特徴とする請求項４又は５に記載のコンテンツ出力装置。
（付記７）
通信相手端末から当該通信端末が使用している言語情報を取得する取得ステップと、
前記言語情報に基づいてコンテンツを出力する出力ステップと、
を含むことと特徴とするコンテンツ出力方法。
（付記８）
コンピュータを、
通信相手端末から当該通信端末が使用している言語情報を取得する取得手段、
前記言語情報に基づいてコンテンツを出力する出力手段、
として機能させる事を特徴とするプログラム。
【符号の説明】
【００４２】
１  デジタルサイネージ装置
２  端末装置
１１  制御部
１２  表示部
１３  入力部
１４  通信部
１５  記憶部
１５１  画像データ記憶部
１５２  音声データ記憶部
２１  制御部
２２  表示部
２３  入力部
２４  通信部
２５  記憶部
２５１  言語情報記憶部
【図１】
2016148961.tif 000003
【図２】
2016148961.tif 000004
【図３】
2016148961.tif 000005
【図４】
2016148961.tif 000006
【図５】
2016148961.tif 000007
【図６】
2016148961.tif 000008